(57)【要約】【課題】複数の放電管を有する照明装置において、放電管の夫々に暗黒始動特性の個体差がある場合でも点灯タイミングのずれを抑制することができる照明装置を提供する。【解決手段】放電管１，２から発せられた光は、放電管１，２夫々に設けられた反射傘４，５で反射され、導光体１４の受光面１５に照射される。そして、放電管１，２夫々に設けられた隣り合う反射傘４，５に連通孔１０が設けられている。隣り合う複数の放電管１，２のうち、先に点灯した放電管（例えば、放電管１）から発せられた光は、連通孔１０を通り、隣の放電管（例えば、放電管２）に照射され、この放電管の点灯が促進される。【選択図】　図１
2004047205.tif 000002
【特許請求の範囲】
【請求項１】
棒状に形成され、互いに平行配置された複数の放電管と、当該放電管から発せられた光を受光する略矩形状の受光面を有し、当該受光面で受光した光を導光して外部に放射するための板状の導光体と、前記複数の放電管のそれぞれに対して設けられ、当該放電管から発せられた光を前記受光面に反射させるための反射傘とを備えた照明装置であって、
隣り合う前記反射傘に連通孔が設けられてなる照明装置。
【請求項２】
連通孔は、放電管の電極近傍に設けられることを特徴とする請求項１記載の照明装置。
【請求項３】
連通孔は、複数設けられることを特徴とする請求項１または２記載の照明装置。
【発明の詳細な説明】
【０００１】
【発明の属する技術分野】
本発明は、液晶表示装置に使用される照明装置に関する。
【０００２】
【従来の技術】
近年、液晶表示装置は、テレビ、パソコン、ビデオカメラ等の画像表示に多く用いられており、今後ますます拡大する傾向にある。このような液晶表示装置は、液晶表示素子の背面から照明装置によって光を照射することにより、画像を表示する。このような照明装置は、通常、光源である放電管を板状の導光体に光入射し導光させているが、表示画面の大型化、高輝度化に伴い、複数の放電管を用いることにより、発光輝度を高める構成が必要な場合がある。
【０００３】
図４はその従来の複数の放電管を用いた照明装置を示す概略断面図である。図４においては、棒状に形成された複数（２本）の放電管１，２が互いに平行配置される。放電管１，２から発せられた光は、互いの光が干渉されないように放電管１，２夫々に設けられた反射傘４，５で反射され、導光体１４の受光面１５に照射される。受光面１５に照射された光は、導光体１４内部を導光され、導光体１４のいずれか一方の面に対向配置された光反射板１２（図示導光体１４の下面配置）で反射され、導光体１４の他方の面から外部に放射される。これにより、表示画面の大型化、高輝度化に対応する発光輝度を得ることができる。
【０００４】
【発明が解決しようとする課題】
しかし、図４に示すような従来の照明装置においては、以下のような問題があった。すなわち、複数の放電管１，２は、同時に点灯するのが望ましいが、放電管１，２のそれぞれには、暗黒始動特性に若干の個体差があるため、放電開始電圧が略等しい放電管であってもそれぞれの放電管の点灯タイミングがずれる場合があった。
【０００５】
本発明は、かかる従来技術の問題点を解決するべくなされたもので、複数の放電管を有する照明装置において、放電管のそれぞれに暗黒始動特性の個体差がある場合でも点灯タイミングのずれを極力抑制することができる照明装置を提供することを目的とする。
【０００６】
【課題を解決するための手段】
本発明に係る照明装置は、棒状に形成され、互いに平行配置された複数の放電管と、当該放電管から発せられた光を受光する略矩形状の受光面を有し、当該受光面で受光した光を導光して外部に放射するための板状の導光体と、前記複数の放電管のそれぞれに対して設けられ、当該放電管から発せられた光を前記受光面に反射させるための反射傘とを備えた照明装置であって、隣り合う前記反射傘に連通孔が設けられるものである。
【０００７】
本発明に係る照明装置においては、棒状に形成された複数の放電管が互いに平行配置される。放電管から発せられた光は、放電管夫々に設けられた反射傘で反射され、導光体の受光面に照射される。これにより、放電管からの光が相互に干渉することを防ぐことができ、又、受光面に照射された光は、導光体内部に導光され、外部に放射される。これにより、表示画面の大型化、高輝度化に対応する発光輝度を得ることができる。
【０００８】
そして、放電管ごとに設けられた隣り合う反射傘に連通孔が設けられている。複数の放電管のうち、先に点灯した放電管から発せられた光は、当該連通孔を通り、隣の放電管に照射される。
【０００９】
ところで、放電管は、電極に電圧を印加し、放電させることにより放電管内に電子を放出し、放電管内のガス等を励起させて発光させることにより、点灯する。暗黒下においては、放電管の励起が促進されない場合があり、複数の放電管においては、放電管の個体差により夫々、暗黒始動特性が異なる原因ともなる。
【００１０】
そこで、未だ点灯に至っていない放電管に、連通孔を通じて、先に点灯した放電管からの光を照射させることにより、光電効果によって、未だ点灯に至っていない放電管の点灯を早めることができる。
【００１１】
このように、先に点灯した放電管からの光により、未だ点灯に至っていない放電管の点灯を早めることができるため、複数の放電管のそれぞれに暗黒始動特性の個体差がある場合でも点灯タイミングのずれを抑制することができる。
【００１２】
その放電管としては、冷陰極管、熱陰極管等の全ての放電管について適用することができる。
【００１３】
好ましくは、反射傘間の連通孔は、前記放電管の電極近傍に設けられるように構成される。この場合、先に点灯した放電管からの光が、未だ点灯に至っていない放電管の電極近傍に照射され、電極近傍は、電子濃度が高いため、光電効果が起こり易い。したがって、より効率的に点灯を促すことができ、点灯タイミングのずれをさらに抑制することができる。
【００１４】
好ましくは、前記連通孔は、隣り合う少なくとも１対の前記反射傘に対して複数設けられるように構成される。
【００１５】
この場合、より多くの箇所で、先に点灯した放電管からの光が、未だ点灯に至っていない放電管に照射され、したがって、光電効果を起こすための光をより多く照射することができ、点灯タイミングのずれをさらに抑制することができる。
【００１６】
【発明の実施の形態】
以下、添付図面を参照しつつ、本発明の一実施の形態を説明する。本実施形態においては、２本の放電管を用いる場合を例示するが、放電管を３本以上用いた場合においても同様の効果を奏するものである。図１は本発明に係る一実施の形態の複数の放電管を用いた照明装置の概略断面図である。
【００１７】
本実施形態における照明装置は、図１に示すように、棒状に形成され、互いに平行配置された複数（２本）の放電管１，２と、この放電管１，２から発せられた光を受光する略矩形状の受光面１５を有し、受光面１５で受光した光を導光して外部に放射するための板状の導光体１４と、複数の放電管１，２のそれぞれに、放電管１，２から発せられた光を受光面１５に反射させるための反射傘４，５とを備えた照明装置であって、隣り合う前記反射傘４，５に連通孔１０が設けられるものである。なお、本実施形態においては、放電管１，２および反射傘４，５は、収納容器３に組み込まれる。
【００１８】
図１の照明装置においては、棒状に形成された複数の放電管１，２が互いに平行配置される。放電管１，２から発せられた光は、放電管１，２夫々に設けられた反射傘４，５で反射され、導光体１４の受光面１５に照射される。この夫々の光反射傘４，５により、放電管１，２からの光が相互に干渉することを防ぐことができる。受光面１５に照射された光は、導光体１４内部に導光される。ここで、本実施の形態においては、図１に示すように、光反射板１２と光制御部材１３とをさらに具備する。導光体１４内部に導光された光は、導光体１４のいずれか一方の面に対向配置された光反射板１２（図示の導光体１４の下面側に配置）で反射され、導光体１４の他方の面にある光制御部材１３において光の方向性等を制御されつつ、外部に放射される。この光制御部材１３は、光を拡散する部材と、拡散光の光方向を制御するプリズムシ―トとで構成しても良く、又は、使用する導光体によっては、光拡散板だけで構成しても良い。
【００１９】
このように、複数の放電管１，２を用いることにより、表示画面の大型化、高輝度化に対応する発光輝度を得ることができる。
【００２０】
そして、放電管１，２ごとに設けられた隣り合う反射傘４，５に連通孔１０が設けられている。図２は図１の照明装置の受光面を切断面として導光体側から見た斜視断面図である。なお、図２において、放電管１，２は、便宜上取り除いて表示している。隣り合う複数の放電管１，２のうち、先に点灯した放電管（以下、放電管１とする）から発せられた光は、連通孔１０を通り、隣の放電管（以下、放電管２とする）に照射される。
【００２１】
ところで、放電管１，２は、電極に電圧を印加し、放電させることにより放電管内に電子を放出し、放電管１，２内のガス等を励起させて発光させることにより、点灯する。この場合、暗黒下においては、励起が充分に促進されない場合があり、複数の放電管１，２においては、暗黒始動特性が異なる原因ともなる。
【００２２】
そこで、未だ点灯に至っていない放電管２に、連通孔１０を通じて、先に点灯した放電管１からの光を照射させることにより、光電効果による電子の放出を促すことができ、未だ点灯に至っていない放電管２の点灯を促進することができる。
【００２３】
このように、先に点灯した放電管１からの光により、未だ点灯に至っていない放電管２の点灯を早めることができるため、複数の放電管のそれぞれに暗黒始動特性の個体差がある場合でも点灯タイミングのずれを極力抑制することができる。
【００２４】
ここで、放電管１，２としては、冷陰極管、熱陰極管等の全ての放電管について適用することができる。
【００２５】
また、本実施の形態においては、連通孔１０は、放電管１，２の電極８，９近傍に設けられるように構成される。図３は図１の照明装置の受光面を切断面として導光体側から見た断面図である。ここで、図３に示すように、本実施の形態の照明装置は、放電管１，２は、両端に電極８，９を備え、ゴム材等によって形成された保持部材６，７により収納容器３に組み込まれて保持される。
【００２６】
本実施形態においては、図３に示すように、先に点灯した放電管からの光が、未だ点灯に至っていない放電管２の電極９近傍に照射され、電極９近傍は、電子濃度が高いため、光電効果が起こり易い。したがって、より効率的に点灯を促すことができ、点灯タイミングのずれをさらに抑制することができる。
【００２７】
さらに、本実施の形態においては、図３に示すように、前記連通孔１０と同様に連通孔１１が設けられ、連通孔１０，１１が隣り合う１対の前記反射傘４，５に対して複数設けられるように構成される。
【００２８】
図３に示すように、より多くの箇所で、先に点灯した放電管１からの光が、連通孔１０，１１を介して未だ点灯に至っていない放電管２に照射される。したがって、光電効果を起こすための光をより多く照射することができ、点灯タイミングのずれをさらに抑制することができる。特に、図３に示すように、放電管１，２の両端部にある電極８，９のそれぞれに連通孔１０，１１を設けることにより、より効率的に点灯を促すことができる。
【００２９】
【発明の効果】
本発明に係る照明装置によれば、先に点灯した放電管からの光により、未だ点灯に至っていない放電管の点灯を早めることができるため、複数の放電管のそれぞれに暗黒始動特性の個体差がある場合でも点灯タイミングのずれを極力抑制することができる。
【図面の簡単な説明】
【図１】本発明に係る一実施形態である複数の放電管を用いた照明装置の概略断面図
【図２】図１の照明装置の受光面を切断面として導光体側から見た斜視断面図
【図３】図１の照明装置の受光面を切断面として導光体側から見た断面図
【図４】従来の複数の放電管を用いた照明装置を示す概略断面図
【符号の説明】
１，２　放電管
４，５　反射傘
８，９　電極
１０，１１　連通孔
１２　光反射板
１３　光制御部材
１４　導光体
１５　受光面
【図１】
2004047205.tif 000003
【図２】
2004047205.tif 000004
【図３】
2004047205.tif 000005
【図４】
2004047205.tif 000006